(57)【要約】【課題】日常的に着用することによって、肩甲骨周辺に多く存在する褐色脂肪細胞を効率よく活性化させて全身のシェイプアップを可能とするシェイプアップ用下着を提供する。【解決手段】上半身において着用するシェイプアップ用下着１０であって、伸縮性生地で形成された後身頃Ｂ側に、肩甲骨Ｓが露出する孔３４が設けられていることを特徴とするシェイプアップ用下着１０である。【選択図】図３
2011246835.tif 000002
【特許請求の範囲】
【請求項１】
上半身において着用するシェイプアップ用下着であって、
伸縮性生地で形成された後身頃側に、肩甲骨が露出する孔が設けられていることを特徴とするシェイプアップ用下着。
【請求項２】
胸部を覆う前身頃と、
伸縮性の生地で形成され、背中の肩甲骨よりも下の部分を覆う背面パネル，肩甲骨の外側を通り、一端が前記前身頃の上端部に接続され且つ他端が前記背面パネルの脇側縁に接続されると共に、少なくとも肩甲骨に近接する背中側が伸縮性の生地で形成された左右一対のアウターストラップ，及び前記肩甲骨の内側を通り、前記アウターストラップ上部と前記背面パネル上端中央部とを連結する伸縮性の生地で形成されたインナーストラップを具備する後身頃とで構成されており、
前記背面パネル，前記アウターストラップ及び前記インナーストラップで囲まれた孔に肩甲骨が収容されることを特徴とするシェイプアップ用下着。
【請求項３】
前記背面パネルの下部中央及び前記インナーストラップの上部中央が、他の部分よりも緊締力の弱く伸縮性の高い生地で形成されていることを特徴とする請求項２に記載のシェイプアップ用下着。
【請求項４】
前記背面パネル，前記アウターストラップ及び前記インナーストラップの少なくとも肩甲骨に近接する縁部に、他の部分よりも体表面方向への凹凸が大きな凹凸部が形成されていることを特徴とする請求項２又は３に記載のシェイプアップ用下着。
【発明の詳細な説明】
【技術分野】
【０００１】
本発明は、日常的に着用することで全身に対して顕著なシェイプアップ効果を発揮させることができるシェイプアップ用下着に関する。
【背景技術】
【０００２】
従来より、下着を使ってシェイプアップを行ない美しいボディラインを手に入れようとする試みが種々行われており、例えば、特許文献１には、その使用を意識することなく着用した下着の持つ緊締作用により大胸筋位置を圧迫して大胸筋を強化し、バストアップ効果を発揮することの出来るシェイプアップ用の下着が提案されている。しかしながら、従来のこの種のシェイプアップ用下着では、下着を着用した部分とその近傍のみにしかシェイプアップ効果が及ばないものが主流であった。
【０００３】
ところで、人間の体内に存在する脂肪細胞には、褐色脂肪細胞と白色脂肪細胞の２種類の細胞がある。脂肪細胞の多くは、脂肪を蓄積しボディラインに多大な影響を与える白色脂肪細胞であるが、一方の褐色脂肪細胞は、ヒトの場合その多くが肩甲骨の周りに存在しており、寒い時に脂肪を活発に燃焼してエネルギーに変えて体温を維持するという役割を持つ。そこで、このような褐色脂肪細胞の性質を利用した肥満解消法の開発が期待されてきたが、従来、この褐色脂肪細胞はマウスのような小動物やヒトの新生児には多く存在するものの、成人ではほとんど消失し生理的な意義はないと考えられていた。
【０００４】
ところが、最近進展した生体イメージング技術を用いた複数の研究によれば、成人においても、低温下で脂肪を活発に燃焼させる褐色脂肪細胞が十分な量存在していることが明らかになった（例えば、非特許文献１参照。）。このため、褐色脂肪細胞を利用した成人の肥満解消法や痩身法などの開発が望まれている。
【先行技術文献】
【特許文献】
【０００５】
【特許文献１】実用新案登録第３１２７１７９号公報
【非特許文献】
【０００６】
【非特許文献１】文部科学省  科学技術政策研究所  科学技術動向研究センター、“肥満解消に期待される褐色脂肪細胞における新知見”、[online]、科学技術動向、Ｎｏ．９９、２００９年６月号、トピックス、[平成２２年４月１２日検索]、インターネット＜ＵＲＬ：http://www.nistep.go.jp/achiev/ftx/jpn/stfc/stt099j/0906_02_topics/200906_topics.html#0906topi_top＞
【発明の概要】
【発明が解決しようとする課題】
【０００７】
それゆえに本発明の主たる課題は、日常的に着用することによって、肩甲骨周辺に多く存在する褐色脂肪細胞を効率よく活性化させて全身のシェイプアップを可能とするシェイプアップ用下着を提供することである。
【課題を解決するための手段】
【０００８】
「請求項１」に記載した発明は、「上半身において着用するシェイプアップ用下着１０であって、伸縮性生地で形成された後身頃Ｂ側に、肩甲骨Ｓが露出する孔３４が設けられていることを特徴とするシェイプアップ用下着１０」である。
【０００９】
また、「請求項２」に記載した発明は、「請求項１」に記載の発明をより具体的に表したもので、
（ａ）胸部を覆う前身頃Ｆと、
（ｂ-１）伸縮性の生地で形成され、背中の肩甲骨よりも下の部分を覆う背面パネル１４，
（ｂ-２）肩甲骨の外側を通り、一端が前記前身頃１２の上端部に接続され且つ他端が前記背面パネル１４の脇側縁に接続されると共に、少なくとも肩甲骨に近接する背中側が伸縮性の生地で形成された左右一対のアウターストラップ１６，及び
（ｂ-３）前記肩甲骨の内側を通り、前記アウターストラップ１６上部と前記背面パネル１４上端中央部とを連結する伸縮性の生地で形成されたインナーストラップ１８を具備する
（ｂ-４）後身頃Ｂとで構成されており、
（ｃ）前記背面パネル１４，前記アウターストラップ１６及び前記インナーストラップ１８で囲まれた孔３４に肩甲骨Ｓが収容される
（ｄ）ことを特徴とするシェイプアップ用下着１０、である。
【００１０】
また、「請求項３」に記載した発明は、請求項２に記載のシェイプアップ用下着１０において、「前記背面パネル１４の下部中央１４ｃ及び前記インナーストラップ１８の上部中央１８ｃが、他の部分よりも緊締力の弱く伸縮性の高い生地で形成されている」ことを特徴とする。
【００１１】
さらに、「請求項４」に記載した発明は、請求項２又は３に記載のシェイプアップ用下着１０において、「前記背面パネル１４，前記アウターストラップ１６及び前記インナーストラップ１８の少なくとも肩甲骨Ｓに近接する縁部に、他の部分よりも体表面方向への凹凸が大きな凹凸部１４ｘ，１６ｘ及び１８ｘが形成されている」ことを特徴とする。
【発明の効果】
【００１２】
請求項１に記載の発明によれば、伸縮性生地で形成された後身頃側に設けられた孔に肩甲骨が収容されているので、肩甲骨をストレスなく自由に動かすことができる。また、これに加えて、肩甲骨の周りを取り囲むように肩甲骨の周囲全体が伸縮性の生地で覆われるようになり、この伸縮性生地の持つ緊締力が肩甲骨の周囲全体に作用して当該部分を圧迫及び摩擦するようになる。その結果、下着着用時に、その多くが肩甲骨周りに存在する褐色脂肪細胞に対してこれを活性化するような刺激を与え続けることができ、係る刺激によって活性化された褐色脂肪細胞が体脂肪の燃焼を促進させるようになる。
【００１３】
請求項２に記載の発明によれば、上記効果に加えて、肩甲骨を収容する孔の外縁を構成するアウターストラップとインナーストラップとが別個独立した部材で構成されているので、肩甲骨をよりストレスなく自由に動かすことができる。
【００１４】
また、別個独立した部材でアウターストラップを設けることによって、例えば、本発明のシェイプアップ用下着を女性用のブラジャーとして使用した場合に、前身頃側に配置されるバストを十分な張力で上方へと持ち上げて効果的にボディラインを補整することができるようになる。
【００１５】
さらに、アウターストラップ上部と背面パネル上端中央部とを連結するインナーストラップは、その緊締力が、背筋を曲げて背中を丸めようとする(いわゆる猫背となるような)身体の動きに抵抗して背筋を伸ばして胸を張る方向に付勢されるので、下着着用者の姿勢を正しい方向へと導くこともできる。
【００１６】
請求項３に記載の発明によれば、背面パネルの下部中央及びインナーストラップの上部中央が、他の部分よりも緊締力の弱く伸縮性の高い生地で形成されているので、シェイプアップ用下着の後身頃全体が一定の緊締力及び伸縮性で構成されたものと異なり、後身頃の上下両端部を簡単に拡げることができる。それ故、シェイプアップ用下着の着脱を容易にすることができる。また、シェイプアップ下着の持つ後身頃の緊締力が背面パネルの下部中央及びインナーストラップの上部中央を除く肩甲骨の周囲全体のみに集中するようになり、肩甲骨周りに存在する褐色脂肪細胞に対してより効果的に刺激が与えられると共に、この反射的な効果として、後身頃の緊締力が不必要に背面全体へと及ぼされず、着用者が窮屈な思いをすることがないため、着け心地よく長時間楽に着用することができる。
【００１７】
請求項４に記載の発明によれば、背面パネル，アウターストラップ及びインナーストラップの少なくとも肩甲骨に近接する縁部に凹凸部が設けられているので、係る凹凸部が肩甲骨周りに存在する褐色脂肪細胞に対して、これを活性化するようなより多くの(主として摩擦からなる)刺激を与えることができる。
【００１８】
以上のように、本発明によれば、日常的に着用することによって、肩甲骨周辺に多く存在する褐色脂肪細胞を効率よく活性化させて体全体の体脂肪を燃焼させ、全身のシェイプアップを可能とするシェイプアップ用下着を提供することができる。
【図面の簡単な説明】
【００１９】
【図１】本発明の一実施例のシェイプアップ用下着を示す正面図である。
【図２】本発明の一実施例のシェイプアップ用下着を示す背面図である。
【図３】本発明の一実施例のシェイプアップ用下着の着用状態を示す背面側斜視図である。
【発明を実施するための形態】
【００２０】
以下、本発明を図面に従って詳述する。図１は本発明の一実施例のシェイプアップ用下着１０の正面図であり、図２は、その背面図である。これらの図が示すように、本実施例のシェイプアップ用下着１０は、大略、前身頃Ｆと、背面パネル１４，アウターストラップ１６及びインナーストラップ１８からなる後身頃Ｂとで構成されている。
【００２１】
なお、図示実施例では、シェイプアップ用下着１０として女性用のブラジャーを示しているが、後述するカップ部２６を除けば男性用のシェイプアップ用下着として利用することができる。
【００２２】
前身頃Ｆは、胸部を覆うためのものであり、伸縮自在なパワーネットのようなメッシュ生地からなる二重構造の外布１２ａと、肌触りや吸水性に優れたコットン混紡メリヤスなどの伸縮性を有する生地からなり外布１２ａの内面側に縫着される肌布１２ｂとで構成されている(図１，２参照)。ここで、上記パワーネットを構成する繊維としては、スパンデックス等のポリウレタン系繊維或いはポリウレタン系繊維と他のナイロン、アクリル等との混紡繊維などを挙げることができる（以下、同じ。）。
【００２３】
この前身頃Ｆの下端部分には、該シェイプアップ用下着１０を装着した際のバージスライン(すなわち乳房とボディとの境界)に対応する位置に、伸縮性を有さない細幅テープ状の芯材２０が当該バージスラインに沿うようにして縫着されている。また、肌布１２ｂは、その左右方向中央部にて外布１２ａの内側生地と縫着されると共に、左右両端上部が外布１２ａと縫着されず開放されている。このため、肌布１２ｂの左右両端上部の開放部分が外布１２ａと肌布１２ｂとの間にパッド２２を挿脱するためのパッド挿脱口２４となり、このパッド挿脱口２２から外布１２ａと肌布１２ｂとの間に、左右一対のパッド２２を挿入することによって、前身頃Ｆに乳房の形を補整するカップ部２６が形成される。なお、パッド２２は、カップ部２６(ひいては乳房)の形を整えるために使用する詰め物で、発泡ウレタンなどのスポンジ材を略浅鉢状に成形したものである。
【００２４】
そして、この前身頃Ｆの左右両側の上端部には、プラスチック製のリング２８を介して左右一対のアウターストラップ１６の一端が接続されている。
【００２５】
背面パネル１４は、背中の肩甲骨Ｓよりも下の部分を覆うためのものであり(図３参照)、３６０度全方向に対して高い伸縮性を有するメッシュ生地からなる外布１４ａと、外布１４ａを構成するメッシュ生地よりも伸縮性には乏しいが緊締力に優れるパワーネットからなり外布１４ａの内面側に縫着された内布１４ｂとで構成されている(図１，２参照)。ここで、上記メッシュ生地を構成する繊維としては、上記パワーネットと同様に、スパンデックス等のポリウレタン系繊維或いはポリウレタン系繊維と他のナイロン、アクリル等との混紡繊維などを挙げることができる（以下、同じ。）。
【００２６】
この背面パネル１４の左右両端縁は、脇側にて前身頃Ｆの左右両端縁と一体的に縫着・連結されており、また、この背面パネル１４の左右両端縁に沿ってアウターストラップ１６の他端が縫着されている。
【００２７】
本実施例のシェイプアップ用下着１０では、この背面パネル１４における下部中央１４ｃの内布１４ｂが取り除かれており、当該部分１４ｃが外布１４ａのメッシュ生地のみで構成されている。このため、背面パネル１４の下部中央１４ｃは、周辺の他の部分よりも緊締力が弱くなると同時に伸縮性が高くなっている。なお、緊締力とは、生地がその弾性回復力によって肌を締め付けて圧迫する力(パワー)を云う。
【００２８】
また、背面パネル１４の上端中央部には、インナーストラップ１８の下端が一体的に連設されている。
【００２９】
さらに、背面パネル１４の少なくとも肩甲骨Ｓに近接する縁部は、当該縁部に沿って柔軟で且つ内布１４ｂよりも摩擦係数が大きなサポートテープ１５が縫着されている。このようなサポートテープ１５を縫着することによって当該部分に、他の部分よりも体表面方向への凹凸が大きな凹凸部１４ｘが形成されている。
【００３０】
アウターストラップ１６は、図３に示すように、シェイプアップ用下着１０を着用した際、肩に掛けられて該下着１０を所定の高さ(胸元)に保持すると共に、肩甲骨Ｓの外側周辺に対して接触刺激(圧迫力)を与える左右一対の紐部材で、肩甲骨Ｓの外側を通り、上述したように一端が前身頃Ｆの左右両側の上端部に接続され且つ他端が背面パネル１４の両脇側縁に沿って前身頃Ｆの左右両端縁と共に縫着されている。
【００３１】
このアウターストラップ１６の少なくとも肩甲骨Ｓに近接する背中側の部分は、３６０度全方向に対して高い伸縮性を有するメッシュ生地からなる外布１６ａと、外布１６ａを構成するメッシュ生地よりも伸縮性には乏しいが緊締力に優れるパワーネットからなり外布１６ａの内面側に縫着される内布１６ｂとで構成されており、その形状は下側へと向かうに連れて広幅となるように形成されている。このような素材及び形状にすることでストラップの緊締力を高め、アウターストラップ１６の周囲に対してより強い刺激(圧迫力)を与えることができるようになる。
【００３２】
また、このアウターストラップ１６の胸部前面側の部分(前方部分)は、伸縮性の乏しい織布などからなる細幅テープ状の部材で構成されると共に、この部分に取付けられたプラスチック或いは金属製の長さ調整具３０を介してアウターストラップ１６全体の長さが調整可能となっている。
【００３３】
さらに、アウターストラップ１６の少なくとも肩甲骨Ｓに近接する縁部は、当該縁部に沿って柔軟で且つ内布１６ｂよりも摩擦係数が大きなサポートテープ１７が縫着されている。このようなサポートテープ１７を縫着することによって当該部分に、他の部分よりも体表面方向への凹凸が大きな凹凸部１６ｘが形成されている。
【００３４】
インナーストラップ１８は、肩甲骨Ｓの内側を通り、アウターストラップ１６上部と背面パネル１４上端中央部とを連結し、アウターストラップ１６と協働して、背面パネル１４が下方へと下がらないよう持ち上げると共に、背中の肩甲骨Ｓで挟まれた部分に対して接触刺激(圧迫力)を与えるもので、３６０度全方向に対して高い伸縮性を有するメッシュ生地からなる外布１８ａと、外布１８ａを構成するメッシュ生地よりも伸縮性には乏しいが緊締力に優れるパワーネットからなり外布１８ａの内面側に縫着された内布１８ｂとで構成されており、上部が二股に分枝した略Ｔ状に形成されている。
【００３５】
本実施例のシェイプアップ用下着１０では、このインナーストラップ１８の上部中央１８ｃの内布１４ｂが取り除かれており、当該部分１８ｃが外布１８ａのメッシュ生地のみで構成されている。このため、インナーストラップ１８の上部中央１８ｃは、周辺の他の部分よりも緊締力が弱くなると同時に伸縮性が高くなっている。
【００３６】
なお、図示実施例では、このインナーストラップ１８と背面パネル１４とが一体的に形成されている場合を示しているが、このインナーストラップ１８と背面パネル１４とを別体で形成した後、両者を縫着等するようにしてもよい。
【００３７】
また、インナーストラップ１８としてその形状が略Ｔ字状のものを示したが、このインナーストラップ１８は、肩甲骨Ｓの内側を通り、アウターストラップ１６の上部同士及びアウターストラップ１６上部と背面パネル１４上端中央部とを連結する形状のものであれば如何なる形状であってもよく、例えば図示しない略Ｙ字状や略Ｘ字状などであってもよい。
【００３８】
さらに、インナーストラップ１８の少なくとも肩甲骨Ｓに近接する縁部は、当該縁部に沿って柔軟で且つ肌布１８ｂよりも摩擦係数が大きなサポートテープ１９が縫着されている。このようなサポートテープ１９を縫着することによって当該部分に、他の部分よりも体表面方向への凹凸が大きな凹凸部１８ｘが形成されている。
【００３９】
なお、本実施例のシェイプアップ用下着１０では、前身頃Ｆ及び背面パネル１４の下端部に、細幅の平面ゴムなどで構成され周方向に伸縮するゴム帯３２が取付けられている。このようなゴム帯３２を設けることにより、前身頃１２や背面パネル１４が不所望に上方へと捲り上がるのを防止することができる。
【００４０】
また、以上のように構成されたシェイプアップ用下着１０では、図３に示すように、これを着用した際に、背面パネル１４，アウターストラップ１６及びインナーストラップ１８で囲まれた孔３４に肩甲骨Ｓが収容されるようになっている。このため、本実施例のシェイプアップ用下着１０を着用する際には、まず始めに、左右のアウターストラップ１６と前身頃Ｆとで囲まれた空間それぞれに両腕を入れ、アウターストラップ１６，インナーストラップ１８及び前身頃１２で囲まれた空間に頭を通した後、前身頃１２と背面パネル１４とを胸元まで引き降ろす。そして、バストがカップ部２６に収まるように位置決めすると共に、孔３４内に肩甲骨Ｓが収まるように調整することでシェイプアップ用下着１０の装着が完了する。
【００４１】
本実施例のシェイプアップ用下着１０によれば、背面パネル１４，アウターストラップ１６及びインナーストラップ１８で囲まれた孔３４に肩甲骨Ｓが収容されているので、肩甲骨Ｓの上にショルダーストラップが配置される結果、肩甲骨Ｓの動きが邪魔される従来のブラジャーと異なり、肩甲骨Ｓをストレスなく自由に動かすことができる。特に本実施例の場合、肩甲骨Ｓを収容する孔３４の外縁を構成するアウターストラップ１６とインナーストラップ１８とが別個独立した部材で構成されているので、肩甲骨Ｓをよりストレスなく自由に動かすことができる。また、これに加えて、伸縮性の生地で形成された背面パネル１４，アウターストラップ１６及びインナーストラップ１８の持つ緊締力が肩甲骨Ｓの周辺全体に作用して当該部分を圧迫及び摩擦するようになる。その結果、下着１０着用時に、その多くが肩甲骨Ｓの周りに存在する褐色脂肪細胞に対してこれを活性化するような刺激を与え続けることができ、係る刺激によって活性化された褐色脂肪細胞が体脂肪の燃焼を促進させるようになる。
【００４２】
また、別個独立した部材でアウターストラップ１６を設けることによって、例えば、本発明のシェイプアップ用下着１０を女性用のブラジャーとして使用した場合に、前身頃Ｆ側に配置されるバストを十分な張力で上方へと持ち上げて効果的にボディラインを補整することができるようになる。つまり、広幅に形成され、その下端部が前身頃Ｆの左右両端縁に縫着されたアウターストラップ１６が、図３の太破線矢印で示すように、バージスラインを脇の下側からも吊り上げるようになる。このため、背面パネル１４の胴体を締め付ける方向の緊締力(図３の太波線矢印)と相俟って、より効果的にバストアップ効果を奏することができるようになる。
【００４３】
さらに、アウターストラップ１６の上部同士及びアウターストラップ１６上部と背面パネル１４上端中央部とを連結するインナーストラップ１８は、その緊締力が、肩甲骨Ｓ周りの背中表面のみならず、図３の太実線矢印で示すように、背筋を曲げて背中を丸めようとする(いわゆる猫背となるような)身体の動きに抵抗して背筋を伸ばして胸を張る方向にも付勢されるので、下着１０着用者の姿勢を正しい方向へと導くこともできる。
【００４４】
また、肩甲骨Ｓの周りから少し外れた背面パネル１４の下部中央１４ｃ及びインナーストラップ１８の上部中央１８ｃが、他の部分よりも緊締力の弱く且つ伸縮性の高い生地で形成されているので、シェイプアップ用下着の後身頃全体が一定の緊締力及び伸縮性で構成されたものと異なり、後身頃Ｂの上下両端部１４ｃ，１８ｃを簡単に拡げることができ、それ故、シェイプアップ用下着１０の着脱を容易にすることができる。また、シェイプアップ下着１０の持つ後身頃Ｂの緊締力が背面パネル１４の下部中央１４ｃ及びインナーストラップ１８の上部中央１８ｃを除く肩甲骨Ｓの周囲全体のみに集中するようになり、肩甲骨Ｓ周りに存在する褐色脂肪細胞に対してより効果的に刺激が与えられると共に、この反射的な効果として、後身頃Ｂの緊締力が不必要に背面全体へと及ぼされず、着用者が窮屈な思いをすることがないため、着け心地よく長時間楽に着用することができる。
【００４５】
そして、背面パネル１４，アウターストラップ１６及びインナーストラップ１８の少なくとも肩甲骨Ｓに近接する縁部に設けられた凹凸部１４ｘ，１６ｘ及び１８ｘが、肩甲骨Ｓ周りに存在する褐色脂肪細胞に対して、これを活性化するようなより多くの刺激を与えることができる。なお、本実施例のように凹凸部１４ｘ，１６ｘ及び１８ｘを、肌布よりも摩擦係数が大きなサポートテープ１５,１７及び１９を縫着して形成した場合には、シェイプアップ用下着１０を着用した際に、サポートテープ１５,１７及び１９の摩擦抵抗によって、背面パネル１４，アウターストラップ１６及びインナーストラップ１８をズレ難くすることができると共に、凹凸のみの場合よりも大きな摩擦力で褐色脂肪細胞を刺激することができるようになる。
【００４６】
以上のように、本実施例のシェイプアップ用下着１０によれば、日常的に着用することによって、肩甲骨Ｓ周辺に多く存在する褐色脂肪細胞を効率よく活性化させて全身の体脂肪を燃焼させ、全身のシェイプアップが可能なシェイプアップ用下着１０を提供することができる。
【００４７】
なお、上述の実施例では、後身頃Ｂが背面パネル１４，アウターストラップ１６及びインナーストラップ１８と云うような三つのパーツで構成される場合を示したが、肩甲骨Ｓをストレスなく自由に動かすことができ、しかも褐色脂肪細胞に対してこれを活性化するような刺激を与え続ける効果のみを狙うのであれば、後身頃Ｂに肩甲骨Ｓが露出する孔３４が設けられていればよく、係る場合には背面パネル１４，アウターストラップ１６及びインナーストラップ１８の全てを一体的に形成するようにしてもよい。
【符号の説明】
【００４８】
１０…シェイプアップ用下着
１２…前身頃
１４…背面パネル
１４ｃ…(背面パネルの)下部中央
１６…アウターストラップ
１８…インナーストラップ
１８ｃ…(インナーストラップの)上部中央
２０…芯材
２２…パッド
２４…パッド挿脱口
２６…カップ部
２８…リング
３０…長さ調整具
３２…ゴム帯
３４…空間
１５，１７，１９…サポートテープ
１４ｘ，１６ｘ，１８ｘ…凹凸部
Ｆ…前身頃
Ｂ…後身頃
Ｓ…肩甲骨
【図１】
2011246835.tif 000003
【図２】
2011246835.tif 000004
【図３】
2011246835.tif 000005